(57)【要約】【課題】  撮影者がレビュー画面を確認したい場合にのみ、煩わしさのない操作でレビュー表示をすることを可能にした撮像装置を提供すること。【解決手段】  撮像指示に応答して被写体像から画像を生成する撮像手段と、前記画像を表示可能な表示手段と、撮像装置の姿勢の変化を検出する第１の検出手段と、前記撮像指示又は前記画像の生成から所定時間の内に、前記第１の検出手段により姿勢の変化が検知された場合に、前記表示手段の表示を切り替える制御手段と、を有することを特徴とする該撮像装置。【選択図】  図４
2019184898.tif 000002
【特許請求の範囲】
【請求項１】
撮像装置であって、
撮像指示に応答して被写体像から画像を生成する撮像手段と、
前記画像を表示可能な表示手段と、
該撮像装置の姿勢の変化を検出する第１の検出手段と、
前記撮像指示又は前記画像の生成から所定時間の内に、前記第１の検出手段により姿勢の変化が検知された場合に、前記表示手段の表示を切り替える制御手段と、
を有することを特徴とする。
【請求項２】
前記第１の検出手段は、姿勢変化の開始から終了までの時間を測定するタイマー手段をさらに有し、
前記制御手段は、前記タイマー手段により所定の時間範囲内に入っていると判定された場合に、前記表示手段の表示を切り替えることを特徴とする請求項１に記載の撮像装置。
【請求項３】
前記第１の検出手段は、角加速度の検出が可能な角加速度センサであることを特徴とする請求項１又は２に記載の撮像装置。
【請求項４】
前記撮像指示がされたときの前記撮像手段の姿勢又は状態を検出する第２の検出手段をさらに有し、
前記第１の検出手段は、前記第２の検出手段の検出結果に基づき前記第１の検出手段が検出する回動の方向を変更することを特徴とする請求項１乃至３のいずれか１項に記載の撮像装置。
【請求項５】
前記第１の検出手段は、前記第２の検出手段の検出結果に基づき、姿勢変化の開始から終了までの所定の時間範囲の閾値や、前記角加速度センサの出力する角速度の閾値を決定することを特徴とする請求項３又は４に記載の撮像装置。
【請求項６】
前記第２の検出手段は、撮像装置が水平であるか否かを検出することを特徴とする請求項４又は５に記載の撮像装置。
【請求項７】
前記第２の検出手段は、前記表示手段がライブビュー表示をしているか否かを検出することを特徴とする請求項４乃至６のいずれか１項に記載の撮像装置。
【請求項８】
撮像装置が三脚に取り付けられているか否かを検出する第３の検出手段をさらに有し、
前記制御手段は、三脚に取り付けられていると判断される場合は、前記表示手段の表示をあらかじめ別に設定された表示に切り替えることを特徴とする請求項１乃至７のいずれか１項に記載の撮像装置。
【請求項９】
前記第３の検出手段は、前記角加速度センサの検出値を用いることを特徴とする請求項８に記載の撮像装置。
【請求項１０】
被写体像から画像を生成する撮像手段と、
前記画像を表示可能な表示手段と、を有する撮像装置の制御方法であって、
撮像指示に応答して被写体像から画像を生成するステップと、
該撮像装置の姿勢の変化を検出する第１のステップと、
前記撮像指示又は前記画像の生成から所定時間の間に前記第１の検出手段により姿勢の変化が検知された場合に、前記表示手段の表示を切り替えるステップと、
を有することを特徴とする撮像装置の制御方法。
【発明の詳細な説明】
【技術分野】
【０００１】
本発明は、撮像装置およびその制御方法に関し、特に表示装置を備えた撮像装置に関するものである。
【背景技術】
【０００２】
従来、表示装置を備えたデジタルカメラなどの撮像装置において、撮影後、直前に撮影した画像を表示装置に表示させるレビュー画面表示機能を備えたものがある。
【０００３】
レビュー画面の表示に関して、例えば、特許文献１ではレビュー画面表示中に撮像装置の姿勢の変化を検知し、レビュー画面を表示する時間を変更する構成が開示されている。また、接眼装置および接眼部周辺の接眼検知センサを備えた撮像装置においては、撮影者が接眼状態か否かによってレビュー画面表示の切り替えを行うものがある。
【先行技術文献】
【特許文献】
【０００４】
【特許文献１】特開２０１６−１００８５４号公報
【発明の概要】
【発明が解決しようとする課題】
【０００５】
しかしながら、上述の特許文献に開示された従来技術は、レビュー画面を表示した後の表示時間に関するものであり、レビュー画面を表示するか否かの判定に言及されていない。そのため、撮影後にレビュー画面を確認することなくそのまま撮影を続行したい場合などにおいては、表示装置が撮影ごとにレビュー画面に切り替わるため撮影の邪魔になり、煩わしいという問題があった。
【０００６】
接眼検知センサを備えた撮像装置においては、撮影者が接眼状態と判定される場合にはレビュー画面表示をさせないという制御が可能となる。しかしライブビュー撮影のような接眼しない状態での撮影時には、同様に表示装置が撮影ごとにレビュー画面に切り替わるため撮影の邪魔になり、煩わしい。
【０００７】
撮像装置の設定により、レビュー画面を常に非表示にする場合では、直前に撮影した画像を確認する際に再生ボタンなどを押して画面を切り替える必要があり、表示までの手間がかかってしまう。またカメラのグリップ状態を崩さなければならない場合がある。
【０００８】
そこで、本発明の目的は、撮影者がレビュー画面を確認したい場合にのみ、煩わしさのない操作でレビュー表示をすることを可能な手段を提供することである。
【課題を解決するための手段】
【０００９】
上記目的を達成するために、本発明のは、撮像装置であって、
撮像指示に応答して被写体像から画像を生成する撮像手段と、
前記画像を表示可能な表示手段と、
該撮像装置の姿勢の変化を検出する第１の検出手段と、
前記撮像指示又は前記画像の生成から所定時間の内に、前記第１の検出手段により姿勢の変化が検知された場合に、前記表示手段の表示を切り替える制御手段と、
を有することを特徴とする。
【発明の効果】
【００１０】
本発明によれば撮影者がレビュー画面を確認したい場合にのみ、煩わしさのない操作でレビュー表示をすることが可能になる。
【図面の簡単な説明】
【００１１】
【図１】本実施形態に係る撮像装置の外観斜視図
【図２】本実施形態に係る撮像装置の構成例を示すブロック図
【図３】本実施形態に係る撮像装置の姿勢変化を示す図
【図４】本実施形態に係る撮影を行ってからレビュー画面が表示される際の動作フローチャート
【図５】本実施形態に係る撮像装置を上向きに構えた様子を示す図
【図６】本実施形態に係る撮像装置を縦位置撮影用に構えた様子を示す図。
【発明を実施するための形態】
【００１２】
以下に、本発明の好ましい実施形態を、添付の図面に基づいて詳細に説明する。
【００１３】
図１は、本実施形態に係る撮像装置の外観斜視図である。（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。なお、本実施形態においては図１（ａ）に示したようにＸ、Ｙ、Ｚの各方向を定義する。すなわち、Ｘ方向はデジタルカメラ１００の横方向、Ｙ方向はデジタルカメラ１００の高さ方向、Ｚ方向はデジタルカメラ１００の光軸方向である。図１において、表示部２８はＬＣＤパネルと、これと一体に構成された不図示のタッチパネル５１から構成され、画像や各種情報を表示する表示部である。シャッターボタン６１は撮影指示を行うための操作部である。なおシャッターボタン６１が請求項記載の撮像指示手段に相当する。
【００１４】
モード切り替えスイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は回転操作部材であり、このメイン電子ダイヤル７１を回すことで、シャッター速度や絞りなど各種設定値の変更等が行える。
【００１５】
電源スイッチ７２はデジタルカメラ１００の電源のＯＮ及びＯＦＦを切り替える操作部材である。サブ電子ダイヤル７３は回転操作部材であり、選択枠の移動や画像送りなどを行える。ＳＥＴボタン７５は押しボタンであり、主に選択項目の決定などに用いられる。マルチコントローラー７６は上、下、左、右に倒すことができ、それぞれの方向への操作が可能である。
【００１６】
拡大ボタン７７は撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。再生ボタン７８は撮影モードと再生モードとを切り替える操作ボタンである。撮影モード中に再生ボタン７８を押下することで再生モードに移行し、記録媒体に記録された画像のうち最新の画像を表示部２８に表示させることができる。
【００１７】
クイックリターンミラー１２は、不図示のシステム制御部５０から指示されて、不図示のアクチュエータにより回動される。通信端子１０はデジタルカメラ１００が不図示の撮影レンズ（着脱可能）と通信を行う為の通信端子である。接眼ファインダー１６は不図示のフォーカシングスクリーン１３を観察することで、不図示のレンズユニット１５０を通して得た被写体の光学像の焦点や構図の確認を行うための覗き込み型のファインダーである。蓋２０２は記録媒体の着脱を可能とするスロットの蓋である。グリップ部９０は、撮影者がデジタルカメラ１００を構えた際に右手で握りやすい形状とした保持部である。
【００１８】
図２は、本実施形態に係る撮像装置の構成例を示すブロック図である。図２において、レンズユニット１５０は、交換可能な撮影レンズを搭載するレンズユニットである。
【００１９】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行う。またレンズ駆動回路３を介して、レンズ１０３の位置を変位させることで焦点を合わせる。レンズ１０３の位置はレンズ位置情報取得部５によって読み取られる。
【００２０】
クイックリターンミラー１２（以下、ミラー１２）は、露光、ライブビュー撮影、動画撮影の際にシステム制御部５０から指示されて、不図示のアクチュエータにより回動する。撮影が行われる場合やライブビュー表示の場合にはミラー１２を回動させることで光束を遮らない撮像光路外に退避し、被写体光束の全てが撮像素子部２２に入射する。
【００２１】
ミラー１２は光の一部を透過できるようにハーフミラーとなっており、撮影待機時は光束の一部をファインダー１６へと導くよう反射させ、残りの光束はミラー１２を透過して撮像素子部２２に入射されるように配されている。
【００２２】
撮影待機時にミラー１２で反射した光束はフォーカシングスクリーン１３に照射される。撮影者は、ペンタプリズム１４とファインダー１６を介して、フォーカシングスクリーン１３を観察することで、レンズユニット１５０を通して得た被写体の光学像の焦点や構図の確認が可能となる。
【００２３】
撮像素子部２２は光学像を電気信号に変換するＣＣＤやＣＭＯＳ素子等で構成される撮像素子である。撮像素子部２２に入射した光束を用いて、被写体の輝度の測光が行われる。また、この撮像素子部２２は一部に位相差検出用画素を設け、それを利用した位相差検出方式の自動焦点調節（いわゆる撮像面ＡＦ）機能を有している。
【００２４】
シャッター１０１は、システム制御部５０の制御で撮像素子部２２の露光時間を自由に制御できるフォーカルプレーンシャッターである。
【００２５】
Ａ／Ｄ変換器２３は、撮像素子部２２から出力されるアナログ信号をデジタル信号に変換するために用いられる。
【００２６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮影した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮影した画像データを用いて所定の演算処理を行い、得られた演算結果に基づいてＴＴＬ方式のＡＷＢ（オートホワイトバランス）処理も行っている。
【００２７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像素子部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２９】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。
【００３０】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００３１】
システムタイマー５３は各種制御に用いる時間や、内蔵された時計の時間を計測する計時部である。
【００３２】
モード切り替えスイッチ６０、第１シャッタースイッチ６２、第２シャッタースイッチ６４、操作部７０はシステム制御部５０に各種の動作指示を入力するための操作手段である。
【００３３】
モード切り替えスイッチ６０は、システム制御部５０の動作モードを静止画記録モード、動画記録モード、再生モード等のいずれかに切り替える。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像素子部２２からの信号読み出しから記録媒体２００に画像データを書き込むまでの一連の撮影処理の動作を開始する。
【００３５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、マルチコントローラーやＳＥＴボタンとを用いて直感的に各種設定を行うことができる。
【００３６】
操作部７０は、撮影者からの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、ＳＥＴボタン７５、マルチコントローラー７６、拡大ボタン７７、再生ボタン７８。
【００３７】
タッチパネル５１は、表示部２８のＬＣＤパネルに重ね合わせて平面的に構成され、タッチされた位置に応じた座標情報が出力されるようにした入力デバイスである。
【００３８】
角加速度センサ６５は、角加速度の検出を行うための静電容量検出型などのセンサである。デジタルカメラ１００の回転方向の角加速度成分を検出してデジタルカメラ１００の姿勢の変化を検出する。なお角加速度センサ６５が請求項記載の姿勢変化検出手段に相当する。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
図３は、撮影時のデジタルカメラ１００の動きを表した図本実施形態に係る撮像装置の姿勢変化を示す図である。図３（ａ）は接眼状態でデジタルカメラ１００を構えている図である。図３（ｂ）はレビュー画面を確認するために撮影者が表示部２８を見ている図である。図中の矢印は図３（ａ）の状態から図３（ｂ）の状態に移行する際のデジタルカメラ１００の動きを示しており、その回動の中心も記載している。また図３（ｃ）は図３（ａ）の状態から撮影アングル変更のために接眼状態のままデジタルカメラ１００を下方に傾けた状態を示した図である。図中の矢印は図３（ａ）の状態から図３（ｃ）の状態に移行する際のデジタルカメラ１００の動きを示しており、その回動の中心も記載している。
【００４２】
図４は、本実施形態に係る撮影を行ってからレビュー画面が表示される際の動作フローチャートである。撮影者が図３（ａ）のように接眼状態で撮影を行ってからレビュー画面が表示される際の動作フローを示す。図４のフローチャートは、システム制御部５０によって、各処理ブロックを制御し実行される処理手順を図示したものである。システム制御部５０が有する不揮発性メモリ５６に格納されているプログラムをシステムメモリ５２に展開し、ＣＰＵが実行することにより実現される。
【００４３】
まずＳ１００でシャッターボタン６１が押下され、第２シャッタースイッチ６４がＯＮになったかを判定し、ＯＮであると判定された場合はＳ１０１へ進む。ＯＮではないと判定された場合はＳ１００へ戻る。
【００４４】
Ｓ１０１では第２シャッタースイッチ６４がＯＮになってから所定の時間ｔ１秒以内に角加速度センサ６５によりデジタルカメラ１００がＸ軸まわりの回動を行ったかを判定し、回動したと判定された場合はＳ１０２へ進む。回動していないと判定された場合はレビュー表示を行わずに終了する。これにより不要なタイミングでレビュー表示が行われることがないようにできる。
【００４５】
Ｓ１０２では角加速度センサ６５によりデジタルカメラ１００の回動の角速度が所定の角速度ω以下であるかを判定し、角速度がω以下であると判定された場合はＳ１０３へ進む。角速度がωよりも早いと判定された場合はレビュー表示を行わずに終了する。これにより不要なタイミングでレビュー表示が行われることがないようにできる。
【００４６】
Ｓ１０３ではデジタルカメラ１００のＸ軸まわりの回動動作が開始されてから所定の時間ｔ２秒以上動き続けているかを角加速度センサ６５により判定し、回動し続けていると判定した場合にはＳ１０４へ進む。回動がｔ２秒よりも短く終了したと判定された場合はレビュー表示を行わずに終了する。これにより不要なタイミングでレビュー表示が行われることがないようにできる。
【００４７】
Ｓ１０４ではデジタルカメラ１００のＸ軸まわりの回動動作が開始されてから所定の時間ｔ３秒以内で回動が終了したかを角加速度センサ６５により判定し、終了したと判定した場合にはＳ１０５へ進んで表示部２８に直前の撮影画像をレビュー表示して終了する。回動がｔ３秒よりも長く続いていると判定された場合はレビュー表示を行わずに終了する。これにより不要なタイミングでレビュー表示が行われることがないようにできる。
【００４８】
以上の動作フローチャートにおいて、Ｓ１０１の判定が行われた段階では撮影者が図３（ａ）の状態から図３（ｂ）の状態か、もしくは例えば図３（ｃ）のようなレビュー画面の確認ではない状態かのどちらに移行しようとしているかの切り分けができていない。そこでＳ１０２、Ｓ１０３、Ｓ１０４においてその判定している。すなわちＳ１０２では、図３（ｂ）および（ｃ）で示されるように、各々の回動時にはデジタルカメラ１００の回動中心位置が異なることに起因する角速度の差異によりレビュー画面を確認するための動作か否かの切り分けを行う。また、Ｓ１０３、Ｓ１０４ではデジタルカメラ１００が回動している時間が極端に短い、もしくは長いかを判定することでレビュー画面を確認するための動作か否かの切り分けを行う。
【００４９】
これにより、撮影者は画像の撮影後、所定の回動をデジタルカメラ１００に与えることでレビュー画面を確認したい時にのみレビュー画面を出すことが可能になる。また所定の時間t１、t２、t３および所定の角速度ωの設定により、レビュー画面の確認動作とそれ以外の動作を切り分けることが可能になり、誤検知でレビュー画面を出すことを抑制できる。なお、所定の時間t１、t２、t３および所定の角速度ωの値は撮影のシチュエーションなどによって適宜変更を行ってもよい。
【００５０】
ここで、図５は、本実施形態に係る撮像装置を上向きに構えた様子を示す図である。例えば、撮影時のデジタルカメラ１００の姿勢が図５のように上方の被写体撮影の状態であることを不図示のカメラ内水準器で検知した場合、レビュー画面を出す判定に関わる前述の値を図３（ａ）のような略水平方向の被写体撮影の場合から変更するとしてもよい。また、表示部２８によりライブビュー表示をさせた状態で撮影を行う場合には撮影待機時は図３（ｃ）のような状態であることが考えられる。
【００５１】
この場合においても、レビュー画面を出す判定に関わる前述の値を図３（ａ）のような接眼状態において撮影する場合から変更するとしてもよい。これによりそれぞれの撮影シチュエーションにより適した閾値を設定することが可能になり、より撮影者がレビュー画面の確認動作を行うのに適した動作にすることが可能となる。
【００５２】
また、角加速度センサ６５によるデジタルカメラ１００の回動検知の方向について、撮影のシチュエーションなどによって適宜変更を行ってもよい。ここで、図６は、本実施形態に係る撮像装置を縦位置撮影用に構えた様子を示す図である。例えば、図６のように縦位置撮影を行うためにグリップ部９０を上方向に持って構える場合には所定の角速度ωの値はＹ軸まわりの回動に適用させるように変更するとしてもよい。これにより縦位置撮影の場合でも撮影者がレビュー画面の確認動作を行うのに適した動作にすることが可能となる。
【００５３】
また、デジタルカメラ１００が三脚に取り付けられているかを判定し、図４に示した動作フローに進むか否かを決定してもよい。三脚に取り付けられているかの判定には不図示の三脚取り付けセンサを用いてもよいし、角加速度センサ６５によって検出される撮影直前のデジタルカメラ１００の振動状態から判定してもよい。デジタルカメラ１００が三脚に取り付けられていると判定された場合は撮影直後に本実施形態の方向にデジタルカメラ１００を回動する可能性は低いため、図４の動作フローには進まず、別に設定したレビュー画面表示設定に従いレビュー表示を行う、とすればよい。
【００５４】
これにより、デジタルカメラ１００が三脚に取り付けられ、回動しない状態であってもレビュー表示を行うことが可能となる。
【００５５】
以上、本発明の好ましい実施形態について説明したが、本発明はこれらの実施形態に限定されず、その要旨の範囲内で種々の変形及び変更が可能である。本発明は、本発明の技術思想の範囲内において、対象となる回路形態により適時変更されて適応するべきものである。例えば、上述した実施形態で、撮像装置として説明したカメラは、デジタルスチルカメラやデジタルビデオカメラに適用することができる。
【００５６】
また、本実施形態に係る画像処理装置を構成する各手段および画像処理装置の制御方法の各ステップは、コンピュータのメモリなどに記憶されたプログラムが動作することによっても実現できる。このコンピュータプログラムおよびこのプログラムを記録したコンピュータ読み取り可能な記録媒体は本発明に含まれる。
【符号の説明】
【００５７】
１００：デジタルカメラ
２２：撮像素子部
２８：表示部
６１：シャッターボタン
６５：角加速度センサ
【図１】
2019184898.tif 000003
【図２】
2019184898.tif 000004
【図３】
2019184898.tif 000005
【図４】
2019184898.tif 000006
【図５】
2019184898.tif 000007
【図６】
2019184898.tif 000008